(57)【要約】      （修正有）【課題】携帯機器のユーザーが自分好みの自分だけのカバーを製作できる携帯機器用の組立式カバーを提供する。【解決手段】Ａ．表表紙２と、Ｂ．裏表紙３と、Ｃ．表表紙２と裏表紙３とに取り付けられ、表表紙２を裏表紙３に対して開閉可能に連結する背表紙４と、Ｄ．表表紙２の裏面に取り付けられ、物品が収納されるポケット２７を有するポケットパーツ５と、Ｅ．裏表紙３の裏面に取り付けられ、携帯機器１が着脱可能に収納される収納ケース６と、Ｆ．表表紙２と裏表紙３との一方に一端部が取り付けられ、表表紙２と裏表紙３の他方に他端部が固定手段により解除可能に固定され、表表紙２を閉じた状態に保持する保持ベルト７と、を別個に備えている。【選択図】図２
0003216422.tif 000002
【実用新案登録請求の範囲】
【請求項１】
Ａ．表表紙と、
Ｂ．裏表紙と、
Ｃ．前記表表紙と前記裏表紙とに取り付けられ、前記表表紙を前記裏表紙に対して開閉    可能に連結する背表紙と、
Ｄ．前記表表紙の裏面に取り付けられ、物品が収納されるポケットを有するポケットパ    ーツと、
Ｅ．前記裏表紙の裏面に取り付けられ、携帯機器が着脱可能に収納される収納ケースと    、
Ｆ．前記表表紙と前記裏表紙との一方に一端部が取り付けられ、前記表表紙と前記裏表    紙の他方に他端部が固定手段により解除可能に固定され、前記表表紙を閉じた状態に    保持する保持ベルトと、
を別個に備えたことを特徴とする携帯機器用の組立式カバー。
【請求項２】
前記表表紙と前記裏表紙とに対する前記背表紙の取付、前記表表紙に対する前記ポケットパーツの取付、前記裏表紙に対する前記収納ケースの取付、前記表表紙又は前記裏表紙に対する前記保持ベルトの取付が、接着剤又はステープラーにより行なわれる請求項１記載の携帯機器用の組立式カバー。
【請求項３】
前記表表紙と前記裏表紙とが、それぞれ、
イ．芯材と、
ロ．前記芯材に貼付けられ、前記表表紙又は前記裏表紙の表面側を構成するファブリッ    クと、
を有する請求項１又は２記載の携帯機器用の組立式カバー。
【請求項４】
前記ポケットパーツが前記表表紙の裏面の略全体を覆被すると共に、
前記ポケットパーツが、
α．芯材と、
β．前記芯材に貼付けられ、前記ポケットパーツにおける、前記表表紙への取付面側と    は反対面側を構成するファブリックと、
を有し、
前記ファブリックの一部が二重とされて、この二重の部分が前記ポケットとされた請求項１〜３の何れかに記載の携帯機器用の組立式カバー。
【請求項５】
前記収納ケースが前記裏表紙の裏面の略全体を覆被すると共に、
前記収納ケースが硬質プラスチック製の浅底容器とされ、
前記携帯機器が前記収納ケースに前記収納ケースの弾性変形を介して収納される請求項１〜４の何れかに記載の携帯機器用の組立式カバー。
【請求項６】
前記固定手段が、
ａ．磁石を用いた磁気吸着手段、
ｂ．面ファスナー、又は、
ｃ．雄ボタンと雌ボタンとを有するスナップボタン
の何れかとされた請求項１〜５の何れかに記載の携帯機器用の組立式カバー。
【請求項７】
装飾用とされる飾りパーツが別個に備えられ、
前記飾りパーツが、前記表表紙、前記裏表紙及び前記収納パーツの少なくとも一つに接着剤又はステープラーにより取り付けられる請求項１〜６の何れかに記載の携帯機器用の組立式カバー。
【請求項８】
前記飾りパーツが、刺繍が施されたワッペンとされた請求項７記載の携帯機器用の組立式カバー。
【考案の詳細な説明】
【技術分野】
【０００１】
本考案は、携帯機器用の組立式カバーに関する。
【背景技術】
【０００２】
スマートフォン用のカバーとして、スマートフォンが内部に収納されるものがある（例えば、特許文献１参照）。このものでは、表カバー部が裏カバー部に対し開閉可能とされて、裏カバー部にスマートフォンが装着され、表カバー部がスマートフォンの前面を覆被している。スマートフォンの使用時には、表カバー部を開くことで、スマートフォンが使用可能とされる。
【先行技術文献】
【特許文献】
【０００３】
【特許文献１】特開２０１７−１８４１２８号公報
【考案の概要】
【考案が解決しようとする課題】
【０００４】
ところで、スマートフォンのユーザーは自分好みの自分だけのカバーを使用したいという願望がある。しかしながら、従来のカバーは、一体型の既製品とされて、ありきたりのカバーしかなく、上記願望が叶えられなかったのが実情である。
本考案は、スマートフォン等の携帯機器のユーザーが自分好みの自分だけのカバーを製作できる携帯機器用の組立式カバーを提供することを目的とする。
【課題を解決するための手段】
【０００５】
上記目的を達成するために、本考案の特徴とするところは、Ａ．表表紙と、Ｂ．裏表紙と、Ｃ．前記表表紙と前記裏表紙とに取り付けられ、前記表表紙を前記裏表紙に対して開閉可能に連結する背表紙と、Ｄ．前記表表紙の裏面に取り付けられ、物品が収納されるポケットを有するポケットパーツと、Ｅ．前記裏表紙の裏面に取り付けられ、携帯機器が着脱可能に収納される収納ケースと、Ｆ．前記表表紙と前記裏表紙との一方に一端部が取り付けられ、前記表表紙と前記裏表紙の他方に他端部が固定手段により解除可能に固定され、前記表表紙を閉じた状態に保持する保持ベルトと、を別個に備えた点にある。
尚、前記表表紙と前記裏表紙とに対する前記背表紙の取付、前記表表紙に対する前記ポケットパーツの取付、前記裏表紙に対する前記収納ケースの取付、前記表表紙又は前記裏表紙に対する前記保持ベルトの取付が、接着剤又はステープラーにより行なわれることもある。
又、前記表表紙と前記裏表紙とが、それぞれ、イ．芯材と、ロ．前記芯材に貼付けられ、前記表表紙又は前記裏表紙の表面側を構成するファブリックと、を有することもある。  更に、前記ポケットパーツが前記表表紙の裏面の略全体を覆被すると共に、前記ポケットパーツが、α．芯材と、β．前記芯材に貼付けられ、前記ポケットパーツにおける、前記表表紙への取付面側とは反対面側を構成するファブリックと、を有し、前記ファブリックの一部が二重とされて、この二重の部分が前記ポケットとされることもある。
又、前記収納ケースが前記裏表紙の裏面の略全体を覆被すると共に、前記収納ケースが硬質プラスチック製の浅底容器とされ、前記携帯機器が前記収納ケースに前記収納ケースの弾性変形を介して収納されることもある。
更に、前記固定手段が、ａ．磁石を用いた磁気吸着手段、ｂ．面ファスナー、又は、ｃ．雄ボタンと雌ボタンとを有するスナップボタンの何れかとされることもある。
又、装飾用とされる飾りパーツが別個に備えられ、前記飾りパーツが、前記表表紙、前記裏表紙及び前記収納パーツの少なくとも一つに接着剤又はステープラーにより取り付けられることもある。
更に、前記飾りパーツが、刺繍が施されたワッペンとされることもある。
【考案の効果】
【０００６】
本考案によれば、携帯機器のユーザーが、販売される種々の表表紙、裏表紙、ポケットパーツ、背表紙、保持ベルト等の中から自分好みのものを適宜選択して購入し、自分で組み立てて、組立式カバーを製作することにより、ユーザーは自分好みの自分だけの組立式カバーを製作できる。
【図面の簡単な説明】
【０００７】
【図１】本考案の実施の形態の一例を示す組立式カバーの正面図である。
【図２】図１の組立式カバーを開いた状態を示す背面図である。
【図３】図１のＡ−Ａ線矢視簡略断面図である。
【図４】図１の組立式カバーを製作するための説明図である。
【図５】図１の背表紙の正面図である。
【図６】図１の組立式カバーを製作するための説明図である。
【考案を実施するための形態】
【０００８】
以下、本考案をスマートフォン用の組立式カバーに適用した実施の形態の一例を図面に基づき説明する。図１〜図３に示すように、組立式カバーは、スマートフォン１のユーザーが組み立てるもので、内部にスマートフォン１が収納される。組立式カバーは、表表紙２と、裏表紙３と、背表紙４と、ポケットパーツ５と、収納ケース６と、保持ベルト７と、飾りパーツ８とを別個に備えている。
【０００９】
尚、図２、図４及び図６において、図示のＸ方向を幅方向、図示のＹ方向を上下方向している。特に、図２においては、図示のＹ１方向を上方向、図示のＹ２方向を下方向として説明する。表表紙２とポケットパーツ５については、幅方向Ｘに関して、右側に向かう方向を内方、左側に向かう方向を外方として説明する。背表紙４と収納ケース６とについては、幅方向Ｘに関して、左側に向かう方向を内方、右側に向かう方向を外方として説明する。
【００１０】
上記各パーツにおいて、内方にある部分と端部を内側部と内側端部、外方にある部分と端部を外側部と外側端部、上方にある部分と端部を上部と上端部、下方にある部分と端部を下部と下端部として説明する。その他の図面や以下の説明でも、上記に準じて説明する。
【００１１】
又、図３は、組立式カバーの簡略断面図であるが、各パーツ（部品）を構成する素材の厚さは、説明の便宜上、誇張して描いており、正確ではない。更に、図３では、ポケットパーツ５と表表紙２とは平行に描かれている。しかし、後述するように、ポケットパーツ５は表表紙２及び背表紙４に取り付けられるため、本来、ポケットパーツ５は表表紙２に対し平行ではなく、何らかの角度をもって斜めに描かれるべきである。しかしながら、実際の組立式カバーでは、上記角度は極めて僅かであるため、図３では、分かりやすくするために、ポケットパーツ５を表表紙２に対し平行に描いている。
【００１２】
又、図３では、収納ケース６も裏表紙３と背表紙４に取り付けられるため、収納ケース６も裏表紙３に対し平行ではなく、何らかの角度をもって斜めに描かれるべきである。しかし、上記同様の理由により、収納ケース６を裏表紙３に対し平行に描いている。
【００１３】
表表紙２と裏表紙３とは、２枚組の外側パーツセットとして販売されるもので、縦長の長方形状とされ、スマートフォン１の形状と対応している。セットにされる表表紙２と裏表紙３は、通常、図柄、色彩及び素材が同一とされているが、異なるものとすることもある。
【００１４】
図４及び図６に示すように、裏表紙３を裏側から見た場合、裏表紙３の外側端部（右側端部）の上端部には、横長のレンズ孔１０が貫通形成されている。このレンズ孔１０は、組立式カバー内に収納されるスマートフォン１のカメラのレンズのためのものである。表表紙２と裏表紙３は、それぞれ、硬質の芯材１１，１２と、ファブリック（生地、織物）１３，１４と、裏紙（裏地）１５，１６とを有する。
【００１５】
芯材１１，１２は、縦長の長方形状とされている。芯材１１，１２としては、ボール紙（板紙）、硬質のプラスチックシート等が使用される。
【００１６】
ファブリック１３，１４は縦長の長方形状とされ、芯材１１，１２における、表表紙２又は裏表紙３の表面側に該当する面の全面を覆被して、表表紙２又は裏表紙３の表面側を構成している。ファブリック１３，１４の外周部は裏側に折り返され、ファブリック１３，１４の外周部又はこれらの全体が芯材１１，１２に接着剤で接着されている。
【００１７】
ファブリック１３，１４としては、１）１００年以上の伝統ある柄を大切にしつつ、現在的なデザインを取り入れた可愛らしく優美なプリント生地や、２）ヨーロッパ、中東の伝統柄を、現代的な色合いでおしゃれに、しかも、上品な風合いに復刻した、アンティークな生成りのオックス生地や、３）シンプルでナチュラルな先染めのコットンやリネン、或いは、オーガニックのダンガリー素材を使用した生地等が使用される。このように、本考案では、種々のファブリック１３，１４を使用して、多種類の外側パーツセットを販売することで、ユーザーが自分好みの自分だけの組立式カバーを製作できるようにしている。
【００１８】
表表紙２の表面側における、外側端部の上下方向中央部には、ファブリック１３により覆われた固定部１８が配置されている。固定部１８は芯材１１に予め接着剤により固定されている。固定部１８は、円盤状の磁石から成る。
【００１９】
裏紙１５，１６は、芯材１１，１２における、ファブリック１３，１４で覆被されなかった部分を覆被する。裏紙１５，１６は、縦長の長方形状とされ、ファブリック１３，１４の折返し部分及び芯材１１，１２に接着剤で接着されている。裏紙１５，１６としては、薄手のボール紙やその他の紙が使用される。裏紙１５，１６の代りに、布から成る裏地を使用することもある。
【００２０】
背表紙４は、保持ベルト７と共に、留め具セットとして販売されるもので、これらは、例えば、人造皮革から成る。セットにされる背表紙４と保持ベルト７は、通常、図柄、色彩及び素材が同一とされているが、異なるものとすることもある。本考案では、図柄、色彩及び素材が異なる多種類の留め具セットを販売することで、ユーザーが自分好みの自分だけの組立式カバーを製作できるようにしている。
【００２１】
背表紙４は、表表紙２と裏表紙３とを開閉可能に連結するもので、縦長の長方形状とされている。スマートフォン１を操作する際には、図２に示すように、表表紙２を開いて操作する。図４に示すように、背表紙４の表面の幅方向の各側部は、表表紙２と裏表紙３のそれぞれの裏面の内側端部に、ユーザーにより接着剤で接着される。なお、図５に示すように、背表紙４の表面における、表表紙２と裏表紙３に対する接着部分（糊代）が分かるように、背表紙４の表面の幅方向の各側部には、糊代用の印２０として、例えば、丸等の刻印が付されている。接着剤としては、木工用、革用の接着剤が使用される。ユーザーが使用する以下の接着剤も同様である。
【００２２】
ポケットパーツ５は、収納ケース６と共に、内側パーツセットとして販売されるもので、図２及び図６に示すように、表表紙２の裏面に、ユーザーにより接着剤で接着されて、表表紙２の裏面の全体又は略全体を覆被している。ポケットパーツ５は、縦長の長方形状とされ、芯材２２と、主・副ファブリック（生地、織物）２３，２４と、裏紙（裏地）２５とを有する。これらの素材は縦長の長方形状とされると共に、それぞれ、表表紙２と裏表紙３の素材と同様の素材とされている。
【００２３】
主ファブリック２３は、芯材２２における、表表紙２側の面とは反対側の面の全面を覆被している。主ファブリック２３の外周部は裏側に折り返され、主ファブリック２３の外周部又はその全体が芯材２２に接着剤で接着されている。
【００２４】
副ファブリック２４は主ファブリック２３の半分の大きさとされ、主ファブリック２３の下部を覆被している。このように、主・副ファブリック２３，２４により、ポケットパーツ５における、表表紙２側とは反対側の面が構成されている。これにより、表表紙２の裏面の全体又は略全体がポケットパーツ５の主・副ファブリック２３，２４により覆被されるので、組立式カバーを開いた際に、表表紙２の裏面にある裏紙１５が全く乃至略見えず、組立式カバーを開いた際の美観を向上できる。
【００２５】
副ファブリック２４の外周部又はその全体は、主ファブリック２３に接着剤で接着されている。ポケットパーツ５における、表表紙２側とは反対側の面では、２重となった主・副ファブリック２３，２４により、袋状となったポケット２７が構成されている。ポケット２７には、その開口部２８から各種カード等の小物類の物品が出し入れ可能に収納される。
【００２６】
裏紙２５は、芯材２２における、主・副ファブリック２３，２４で覆被されなかった部分を覆被する。裏紙２５は、縦長の長方形状とされ、主・副ファブリック２３，２４の折返し部分及び芯材２２に接着剤で接着されている。
【００２７】
収納ケース６にはスマートフォン１が着脱可能に収納される。収納ケース６は、硬質の透明プラスチックから成る浅底の容器状とされている。収納ケース６は、底壁３０と、一対の側壁３３，３４とを有し、一体形成されている。底壁３０は、裏表紙３の裏面に、ユーザーにより接着剤で接着される。これにより、裏表紙３の裏面の全体又は略全体が収納ケース６により覆被される。これによって、組立式カバーを開いた際に、収納ケース６に収納されたスマートフォン１は見えるが、裏表紙３の裏面にある裏紙１６が全く乃至略見えず、組立式カバーを開いた際の美観を向上できる。
【００２８】
図３に示すように、組立式カバーを開いた際の収納ケース６を見た場合、底壁３０の外側端部（右側端部）の上端部には、横長のレンズ孔３１が貫通形成されている。このレンズ孔３１は、組立式カバー内に収納されるスマートフォン１のカメラのレンズのためのもので、裏表紙３のレンズ孔１０と対応している。収納ケース６を裏表紙３に接着する際には、両レンズ孔１０，３１が一致するように接着する。尚、この接着を容易にするために、レンズ孔１０，３１の一方を他方よりも一回り大きく形成することもある。
【００２９】
底壁３０の幅方向に関する両端部からは、それぞれ、側壁３３，３４が立ち上がっており、これら両側壁３３，３４の先端部間が、スマートフォン１を収納ケース６内に着脱するための開口３５とされている。幅方向に関し、内側（左側）の側壁３３の断面は、内方（左方）に突出する湾曲状とされ、一方、外側（右側）の側壁３４の断面は、外方（右方）に突出する湾曲状とされている。スマートフォン１を収納ケース６に装着する際には、スマートフォン１を開口３５から内部に押し込むように装着する。この際、湾曲状の側壁３３，３４が弾性変形し、これにより、着脱を容易に行なえる。尚、スマートフォン１の装着時には、スマートフォン１の表側を開口３５側として装着する。
【００３０】
幅方向に関して内側（左側）の側壁３３の上下端部は、上端又は下端に向かうに従って、外方（右方）に向かうように湾曲状に形成された阻止部３３ａ，３３ｂとされている。一方、幅方向に関して外側（右側）の側壁３４の上下端部は、上端又は下端に向かうに従って、内方（左方）に向かうように湾曲状に形成された阻止部３４ａ，３４ｂとされている。これら阻止部３３ａ，３３ｂ，３４ａ，３４ｂにより、収納ケース６内のスマートフォン１が上方又は下方に離脱することが阻止される。
【００３１】
各側壁３３，３４には、凹部（切欠き）３３ｃ，３４ｃが形成されている。これら凹部３３ｃ，３４ｃを通して、スマートフォン１の操作や、スマートフォン１に対する接続コードの接続が可能とされている。又、内側側壁３３と外側側壁３４とにおける、対応する阻止部３３ａ，３４ａ間又は阻止部３３ｂ，３４ｂ間からも、スマートフォン１の操作や、スマートフォン１に対する接続コードの接続が可能とされている。
【００３２】
保持ベルト７は、スマートフォン１を収納した組立式カバーを閉じた状態に保持するためのものである。保持ベルト７の一端部の裏面は、裏表紙３の表面における、外側端部の上下方向中央部にユーザーにより接着剤で接着される。保持ベルト７の他端部の裏面には、被固定部３６が予め接着剤等により固定されている。被固定部３６は、円盤状の磁石から成る。被固定部３６が表表紙２の固定部１８に表表紙２のファブリック１３を介して磁気吸着されることにより、組立式カバーは閉じた状態に保持される。
【００３３】
即ち、固定部１８と被固定部３６とが、保持ベルト７を表表紙２に固定する固定手段を構成している。尚、上記の例では、固定部１８と被固定部３６の両者を磁石としたが、一方を、鉄、ニッケル等の磁石以外の強磁性体としてもよい。
【００３４】
尚、保持ベルト７を裏表紙３に接着する際には、予め、被固定部３６を固定部１８に磁気吸着させた状態で、接着する。これにより、保持ベルト７を裏表紙３に接着した後に、被固定部３６を固定部１８に磁気吸着させることができないというような不具合を回避できる。
【００３５】
飾りパーツ８は、組立式カバーの装飾用とされるもので、表表紙２や裏表紙３の表面、あるいは、ポケットパーツ５における、表表紙２に対する取付面側とは反対側の面に、ユーザーにより接着剤で接着される。飾りパーツ８としては、例えば、刺繍が施されたワッペン等が使用される。
【００３６】
本考案では、表表紙２と裏表紙３から成る外側パーツセット、ポケットパーツ５と収納ケース６とから成る内側パーツセット、背表紙４と保持ベルト７から成る留め具パーツセット、飾りパーツ８として、種々のものが販売される。スマートフォン１のユーザーはこれらの中から自分好みの各パーツセットと飾りパーツ８を適宜選択して購入し、自分で組み立てて、組立式カバーを製作する。これにより、ユーザーは、自分好みの自分だけの組立式カバーを製作できる。
【００３７】
尚、上記実施の形態では、表表紙、裏表紙及びポケットパーツを、芯材とファブリックとを有するものとしたが、表表紙、裏表紙及びポケットパーツを、プラスチックシートや他の素材から成るものとしてもよい。
【００３８】
又、上記実施の形態では表表紙と裏表紙とに対する背表紙の取付、表表紙に対するポケットパーツの取付、裏表紙に対する収納ケースの取付、表表紙又は裏表紙に対する保持ベルトの取付を、接着剤により行なったが、これら取付をステープラーやその他の方法により行なってもよい。
【００３９】
更に、上記実施の形態では、保持ベルトを表表紙に固定する固定手段を、磁石を用いた磁気吸着手段としたが、固定手段を、１）固定部と被固定部とにより結合、分離可能な面ファスナーとしたり、２）固定部及び被固定部の一方を雄ボタンとし、他方を雌ボタンとして、これらボタンにより結合、分離可能なスナップボタンとしてもよい。
【００４０】
又、上記実施の形態では、保持ベルトの一端部を裏表紙に取り付けたが、保持ベルトの一端部を表表紙に取り付けて、裏表紙に固定部を備えるようにしてもよい。
又、上記実施の形態では、飾りパーツとして、刺繍されたワッペンを用いたが、飾りパーツとして他の素材を使用してもよい。
【００４１】
更に、上記実施の形態は、本考案の携帯機器をスマートフォンとして、本考案をスマートフォンの組立式カバーに適用したものである。しかし、本考案の携帯機器を、携帯電話、腕時計型携帯情報端末等の携帯情報端末、携帯型オーディオプレーヤー、携帯型レコーダー、タブレット型コンピュータ、携帯型スピーカー等の携帯機器とし、本考案をこれらの組立式カバーに適用してもよい。
【符号の説明】
【００４２】
１  スマートフォン（携帯機器）
２  表表紙
３  裏表紙
４  背表紙
５  ポケットパーツ
６  収納ケース
７  保持ベルト
８  飾りパーツ８
１１，１２，２２  芯材
１３，１４  ファブリック
１８  固定部
２３，２４  主・副ファブリック
２７  ポケット
３６  被固定部
【図１】
0003216422.tif 000003
【図２】
0003216422.tif 000004
【図３】
0003216422.tif 000005
【図４】
0003216422.tif 000006
【図５】
0003216422.tif 000007
【図６】
0003216422.tif 000008